(57)【要約】      （修正有）【課題】遺体に無理なく着用でき、しかも、故人に対する弔いの気持ちが込められた仏衣を提供する。【解決手段】仏衣１０は、遺体の首回りにその先端部２１を巻き付けて保持される袖無し首掛けインナードレス２０に、袖部を備えたボレロ風の外衣３０を組み合わせたものである。袖無し首掛けインナードレス２０は、先端部２１を遺体の首回りに巻き付けるだけで済むので、その着用が極めて容易である。また、ボレロ風の外衣３０は、袖部を形成する本体部３１に遺体の首回りを通す切欠部３２を設けている。そして、この切欠部３２を介して遺体に装着し、本体部３１を面ファスナーやボタンなどで留めることで袖部を形成し、遺体に無理なく着用できる。【選択図】図１
0003210945.tif 000002
【実用新案登録請求の範囲】
【請求項１】
遺体に着用する仏衣であって、遺体の首回りにその先端部を巻き付けて保持される袖無し首掛けインナードレスに、袖部を備えたボレロ風の外衣を組み合わせた仏衣。
【請求項２】
ボレロ風の外衣は、袖部を形成する本体部に遺体の首回りを通す切欠部を設けた請求項１記載の仏衣。
【請求項３】
ボレロ風の外衣は、袖口又は／及び襟にレース又は／及びギャザーをあしらった請求項１又は２記載の仏衣。
【請求項４】
ボレロ風の外衣は、袖口又は／及び襟にオーガンジー製の装飾をあしらった請求項１から３のいずれかに記載の仏衣。
【請求項５】
さらに、お顔掛けと靴下とポシェットを組み合わせた請求項１から４のいずれかに記載の仏衣。
【考案の詳細な説明】
【技術分野】
【０００１】
本考案は、遺体に着用する仏衣に関するものであり、遺体に無理なく着用でき、また故人に対する弔いの気持ちが込められた仏衣に関するものである。
【背景技術】
【０００２】
これまで、仏衣に関する特許文献としては、以下に示す特許文献１〜４のようなものがある。いずれも、固く硬直した遺体に無理なく・容易に着用することが可能な仏衣を提供するものである。
【０００３】
確かに、仏衣に関しては上記特許文献１〜４のようなものが開示されているが、実際にこのような仏衣が一般的に普及しているわけではない。不充分ながらも従来からある仏衣で済ませているのが実情である。
そこで、本願考案者は、遺体に無理なく着用でき、しかも、故人に対する弔いの気持ちが込められた仏衣の普及・実用を目的とし、仏衣に関する研究・試作を鋭意重ね、特許文献５に開示される仏衣を考案をするに至った。
【先行技術文献】
【特許文献】
【０００４】
【特許文献１】実用新案登録第３１００８５５号公報
【特許文献２】実用新案登録第３００２６５２号公報
【特許文献３】実開平０６−０４６７２７号公報
【特許文献４】実開平０２−０７８５０３号公報
【特許文献５】実用新案登録第３１１８５７６号公報
【考案の概要】
【考案が解決しようとする課題】
【０００５】
そして、２０１３年頃より「終活」がブームとなり、女性を中心に仏衣（死装束）に関する問い合わせが増えている。こうした仏衣への需要の高まりに応えるべく、本願考案者は、さらに改良を進め、本願考案を完成した。
【課題を解決するための手段】
【０００６】
本願考案の第１の考案は、遺体に着用する仏衣であって、遺体の首回りにその先端部を巻き付けて保持される袖無し首掛けインナードレスに、袖部を備えたボレロ風の外衣を組み合わせたものである。
第２の考案は、ボレロ風の外衣が、袖部を形成する本体部に遺体の首回りを通す切欠部を設けたことを特徴とする同仏衣である。
第３の考案は、ボレロ風の外衣が、袖口又は／及び襟にレース又は／及びギャザーをあしらったことを特徴とする同仏衣である。
第４の考案は、ボレロ風の外衣が、袖口又は／及び襟にオーガンジー製の装飾をあしらったことを特徴とする同仏衣である。
第５の考案は、さらに、お顔掛けと靴下とポシェットを組み合わせたことを特徴とする同仏衣である。
【考案の効果】
【０００７】
本願考案によれば、次のような効果を有する。
（１）遺体の首回りにその先端部を巻き付けて保持される袖無し首掛けインナードレスに、袖部を備えたボレロ風の外衣を組み合わせた仏衣とすることで、遺体に無理なく仏衣を着用でき、故人に対する弔いの気持ちを込めることができる。
（２）従って、仏衣の着用に際して、遺体に無理な姿勢をとらせたくない、遺体にきちんと仏衣を着せてあげたいなどといった遺族・関係者の気持ちを実現できる。
（３）また、ボレロ風の外衣の袖口や襟に装飾をあしらったり、小物（お顔掛け・靴下・ポシェットなど）を組み合わせることで、故人の威厳を損なわずに美しく気品のある旅立ちを演出できる。
【図面の簡単な説明】
【０００８】
【図１】本願発明の実施形態に係る仏衣の説明図（１）。
【図２−１】本願発明の実施形態に係る仏衣の説明図（２−１）。
【図２−２】本願発明の実施形態に係る仏衣の説明図（２−２）。
【図２−３】本願発明の実施形態に係る仏衣の説明図（２−３）。
【図３】本願発明の実施形態に係る仏衣の説明図（３）。
【図４】本願発明の実施形態に係る仏衣の説明図（４）。
【考案を実施するための形態】
【０００９】
本願考案の実施形態を図面に基づいて説明する。
図１に示す仏衣１０は、遺体の首回りにその先端部２１を巻き付けて保持される袖無し首掛けインナードレス２０に、袖部を備えたボレロ風の外衣３０を組み合わせたものである。袖無し首掛けインナードレス２０は、先端部２１を遺体の首回りに巻き付けるだけで済むので、その着用が極めて容易である。
【００１０】
また、ボレロ風の外衣３０（女性用は３０（ａ）、男性用は３０（ｂ））は、袖部を形成する本体部３１に遺体の首回りを通す切欠部３２を設けている。そして、この切欠部３２を介して遺体に装着し、本体部３１を公知の手段で留めることで（面ファスナーやボタンなど）袖部を形成し、遺体に無理なく着用できる。ここで、ボレロ風の外衣３０の袖口や襟にレースやギャザーをあしらうことで、図２に図示するように、より美しく気品あるデザインになる。図２−１は袖口と襟にレースをあしらったもの、図２−２は襟（共襟）をギャザー仕立てにしたもの、図２−３は襟（共襟）をギャザーとレースの二重仕立てにしたものである。
【００１１】
図３は、袖無し首掛けインナードレス２０及び外衣３０と組み合わせて使用される小物、詳しくはお顔掛け４０，靴下４１，ポシェット４２を図示したものである。ここで、お顔掛け４０には、例えば、オーガンジー製の縁レースなどを設けてもよい。
【００１２】
図４は、男性用の袈裟５０を図示したものである。この袈裟５０を袖無し首掛けインナードレス２０及び外衣３０と組み合わせることで、男性用の仏衣としても使用できる。
【００１３】
以上のように、本願考案の仏衣は、遺体に無理なく着用できるように工夫され、それがまさに故人に対する弔いの気持ちが込められたものとなっている。また、頭から足に至るまでに種々の付属品を備えることで、より一層故人に対する弔いの気持ちが込められたものとなっている。
【産業上の利用可能性】
【００１４】
本願考案は、遺体に着用する仏衣として広く一般的に使用されるものである（女性に限らず男性も可）。
【符号の説明】
【００１５】
１０  仏衣
２０  袖無し首掛けインナードレス
２１  先端部
３０  外衣
３１  本体部
３２  切欠部
３３  スナップ
４０  お顔掛け
４１  靴下
４２  ポシェット
５０  袈裟
【図１】
0003210945.tif 000003
【図２−１】
0003210945.tif 000004
【図２−２】
0003210945.tif 000005
【図２−３】
0003210945.tif 000006
【図３】
0003210945.tif 000007
【図４】
0003210945.tif 000008